(57)【特許請求の範囲】
【請求項１】
折戸の裏面に固定される蝶番部材と、走行車輪を備えたランナー本体と、このランナー本体と前記蝶番部材を連結する連結ブロックとから構成されるかぶせ折戸用ランナー部材を上下に備え、このかぶせ折戸用ランナー部材には上部のランナー本体が走行するレールと下部のランナー本体を固定する固定部材とを組み合わせ、固定部材は、床面に固定される座金と前記座金上面に設けられた規制壁と前記座金上をスライドするスライド部材とから構成され、前記ランナー本体の走行車輪が、前記規制壁及び前記規制壁に接近離間するスライド部材に挟み込まれつつそれらの内側に形成された支持凹部に固定されることを特徴とするかぶせ折戸用ランナー部材の支持構造。
【請求項２】
請求項１記載のかぶせ折戸用ランナー部材の支持構造において、スライド部材は、弾性部材でランナー本体の走行車輪を挟み込む方向に付勢されることを特徴とするかぶせ折戸用ランナー部材の支持構造。
【発明の詳細な説明】
【０００１】
【発明の属する技術分野】
本発明は、家屋内で間仕切扉や収納扉として広く使用されている折戸において、特に扉が建具の枠または家具のキャビネットの外に取付けられているタイプの折戸に使用するかぶせ折戸用ランナー部材の支持構造に係る技術分野に属する。
【０００２】
【従来の技術】
従来、かぶせ折戸を支持するかぶせ折戸の支持構造としては、例えば、本出願人による特許第２８４６５９５号公報に開示されるかぶせ折戸用ランナー部材を利用した図９に示すようなものがある。すなわち、かぶせ折戸の支持構造８０は、上部については、上部用のかぶせ折戸用ランナー部材２が折戸８１１、８１２の上部に取付けられ、そのローラ２２１が上部レールＲ１に挿入されており、下部については、下部用のかぶせ折戸用ランナー部材１が折戸８１１、８１２の下部に取付けられ、それらの走行車輪１２１が下部レールＲ２に挿入されたものである。
【０００３】
この図９の状態では、蝶番Ｔで連結された２枚の折戸８１１、８１２は、左右どちらにも移動可能であるが、別の使い方として、折戸８１を常に片側に移動可能にしてどちらかの折戸８１１または８１２の端部を固定する使い方がある。すなわち、上部レールＲ１内に設けた上部ストッパー８１３、及び、下部レールＲ２内に設けた下部ストッパー８１４を、左右どちらかの上部用のかぶせ折戸用ランナー部材２及び下部用のかぶせ折戸用ランナー部材１に押し付けて固定すると移動ができなくなり、吊元固定とすることができる。
【０００４】
【発明が解決しようとする課題】
前述の従来のかぶせ折戸の支持構造８０において、床面の下部レールＲ２を無くしてフリーにしたい場合、吊元を固定する必要があるが、前述の下部ストッパー８１４を用いる吊元固定の方法では下部レールＲ２を無くすることができないという問題がある。その場合には、この下部用のかぶせ折戸用ランナー部材１とは異なり床面に固定可能な下部支持構造にしなければならず、これらの用途に対応可能とするため、別の種類の部品を用意する必要がある。したがって、多種類の部品を製造し、在庫するという必要があり、コストアップを招くという問題がある。
【０００５】
本発明は、このような問題点を考慮してなされたもので、かぶせ折戸で下部レールを無くしたい場合に、レールを走行可能に構成されたかぶせ折戸用ランナー部材をそのまま使って吊元を固定することのできるかぶせ折戸用ランナー部材の支持構造を提供することを課題とする。
【０００６】
【課題を解決するための手段】
前述の課題を解決するため、本発明に係るかぶせ折戸用ランナー部材の支持構造は、次のような手段を採用する。
【０００７】
すなわち、請求項１では、折戸の裏面に固定される蝶番部材と、走行車輪を備えたランナー本体と、このランナー本体と前記蝶番部材を連結する連結ブロックとから構成されるかぶせ折戸用ランナー部材を上下に備え、このかぶせ折戸用ランナー部材には上部のランナー本体が走行するレールと下部のランナー本体を固定する固定部材とを組み合わせ、固定部材は、床面に固定される座金と前記座金上面に設けられた規制壁と前記座金上をスライドするスライド部材とから構成され、前記ランナー本体の走行車輪が、前記規制壁及び前記規制壁に接近離間するスライド部材に挟み込まれつつそれらの内側に形成された支持凹部に固定されることを特徴とする。
【０００８】
この手段では、走行車輪を備えたかぶせ折戸用ランナー部材のランナー本体を上部のランナー本体が走行するレール及び下部のランナー本体を固定する固定部材と組み合わせることで吊元固定とし、下部レールを使用しない折戸の支持構造にこのかぶせ折戸用ランナー部材を適用することが可能となる。また、固定部材が、座金と、座金に設けられた規制壁と座金上をスライドするスライド部材と、規制壁及びスライド部材の内側に形成される支持凹部とで構成され、ランナー本体の走行車輪が規制壁及び規制壁に接近離間するスライド部材に挟み込まれつつ支持凹部に固定される。
【０００９】
また、請求項２では、請求項１記載のかぶせ折戸用ランナー部材の支持構造において、スライド部材は、弾性部材でランナー本体の走行車輪を挟み込む方向に付勢されることを特徴とする。
【００１０】
この手段では、固定部材の可動部は弾性部材でランナー本体の走行車輪を挟み込む方向に付勢されており、弾性部材の付勢力でランナー本体の走行車輪が固定される。
【００１１】
【発明の実施の形態】
以下、本発明に係るかぶせ折戸用ランナー部材の支持構造の実施の形態を図面に基づいて説明する。
【００１２】
図１〜図８は、本発明に係るかぶせ折戸用ランナー部材の支持構造の実施の形態（１）を示すものである。
【００１３】
この実施の形態におけるかぶせ折戸用ランナー部材の支持構造１００は、かぶせ折戸において、下部レールＲ２でガイド可能な下部用のかぶせ折戸用ランナー部材１（以下、下部ランナー部材１）を下部レールＲ２を使用しない折戸の下部支持構造として使用可能とするかぶせ折戸用ランナー部材の支持構造を示している。なお、下部ランナー部材１が下部レールＲ２を走行するかぶせ折戸の支持構造８０は、従来の構造で示したものである。
【００１４】
かぶせ折戸用ランナー部材の支持構造１００は、上部が上部レールＲ１でガイドされる上部用のかぶせ折戸用ランナー部材２（以下、上部ランナー部材２）と、上部レールＲ１と、上部ストッパー７１３とで構成された折戸７１に対し、吊元側折戸７１１の下部に取付けられる下部ランナー部材１と、下部ランナー部材１を固定する固定部材４とで主に構成されている。
【００１５】
上部ランナー部材２は、折戸７１の裏面（折って合わさる側）上方に設けられるもので、折戸７１の裏面に固定される蝶番部材２１と、上部レールＲ１を走行する走行部材である車輪２２１、２２２を備えたランナー本体２２と、ランナー本体２２と蝶番部材２１を連結する連結ブロック２３とで構成される。ランナー本体２２は、連結ブロック２３を介して蝶番部材２１の蝶番機能により角度可変に連結されているので、折戸７１の角度変化に対してスムーズに追従可能となっている。
【００１６】
また、上部ランナー部材２は、上下方向調整ねじ２２３及び上下方向固定ねじ２２４を備え、折戸７１の蝶番部材２１に対するランナー本体２２の上下位置を調整可能にしている。さらに、上部ランナー部材２は、前後方向調整ねじ兼前後方向固定ねじ２２５を備え、この蝶番部材２１に対するランナー本体２２の前後位置を調整可能にしている。
【００１７】
なお、吊元側折戸７１１に設けられる吊元側上部ランナー部材２ａと、移動側折戸７１２に設けられる移動側上部ランナー部材２ｂとは、蝶番部材２１に対するランナー本体２２の取付向きが左右反転している点のみが異なっている。
【００１８】
上部レールＲ１は、天板５６の下部５６１に彫り込んで設けられ、折戸７１に取付けられた吊元側上部ランナー部材２ａ、移動側上部ランナー部材２ｂが走行するレールとなっている。また、吊元側上部ランナー部材２ａと接触させて上部ストッパー７１３が取付けられ、折戸７１１が吊元側に固定されるように構成されている。なお、上部ストッパー７１３は、その中央部にねじ７１３ａが設けられ、このねじ７１３ａを締め込むことで上部ストッパー７１３が上部レールＲ１に固定されるようになっている。
【００１９】
下部ランナー部材１は、吊元側折戸７１１の裏面（折って合わさる側）下方に設けられるもので、折戸７１の裏面に固定される蝶番部材１１と、ランナー本体１２の走行部材である走行車輪１２１を備えたランナー本体１２と、ランナー本体１２と蝶番部材１１を連結する連結ブロック１３とで構成される。ランナー本体１２は、連結ブロック１３を介して蝶番部材１１の蝶番機能により角度可変に連結されているので、折戸７１の角度変化に対してスムーズに追従可能となっている。
【００２０】
また、下部ランナー部材１は、前後方向調整ねじ兼前後方向固定ねじ１２５を備え、この蝶番部材１１に対するランナー本体１２の前後位置（蝶番部材１１と走行車輪１２１の距離）を調整可能にしている。なお、蝶番部材１１に対するランナー本体１２の上下位置の調整は、上下自動伸縮機構１２２を備えているので、これにより自動的に行われる。
【００２１】
固定部材４は、被固定面にねじ４４で固定される小型の部材で、被固定面を床面Ｆとし、吊元側折戸７１１の吊元側端部に設けられている。床面Ｆには下部レールＲ１がないので、折戸７１の奥の収納部屋Ｈに入る際にフラットな床面を通って入れるようになっている。なお、収納部屋Ｈの設計により固定部材４の被固定面を床面Ｆ上に設けた地板（図示しない）としても構わない。
【００２２】
固定部材４は、被固定面に固定される座金４１と、座金４１に設けられる可動部４２、弾性部材４３、ロックねじ４５などで主に構成されている。
【００２３】
座金４１は、被固定面である床面Ｆに固定される長板部４１ａと、長板部４１ａの上面に下部ランナー部材１の走行車輪１２１を固定する固定部４１ｂを備えた部材であり、固定部４１ｂにランナー本体１２の走行部材１２１（下部ランナー部材１の走行車輪１２１）を挟み込みする支持凹部４１３を有している。
【００２４】
この支持凹部４１３は、つば部４１１と規制壁４１２及び可動部４２で形成されるものであり、座金４１のつば部４１１側の支持凹部４１３及び可動部４２側の支持凹部４１３がともに半円もしくはほぼ半円状に形成されており、下部ランナー部材１の走行車輪１２１を挟み込むと容易に抜けない構成となっている。
【００２５】
つば部４１１は、座金４１の上面でＪ字状をなし、下部ランナー部材１の走行車輪１２１が引っかかるように設けられた突起状のものである。なお、つば部４１１は後述する可動部４２のつば部４２１とで長円形状をなしている。ただし、その一部はつば部４１１を含め固定部４１ｂが切り欠かれており、下部ランナー部材１の走行車輪１２１を挿入するための切欠部４６となっている。したがって、この切欠部４６は長板部４１ａのみとなっている。
【００２６】
規制壁４１２は、座金４１の固定部４１ｂの内壁面であり、つば部４１２の下方に形成され、下部ランナー部材１の走行車輪１２１が当接するものとなっている。
【００２７】
また、座金４１には、可動部４２を直線的にスライド可能にガイドする断面四角形のガイド溝４１６が設けられている。さらに、床面Ｆに取付けるための座ぐり穴４１４とねじ用孔４１４ａがつば部４１１に近い方に設けられ、また、座ぐり溝４１５とねじ用長孔４１５ａが中央部付近に設けられ、ロックねじ４５が螺合されるねじ孔４１７が設けられている。
【００２８】
可動部４２は、座金４１の支持凹部４１３による挟み込みを可能とするものであり、座金４１の規制壁４１２に接近離間して規制壁４１２との内側に支持凹部４１３を形成している。すなわち、座金４１のつば部４１１と対向する位置に可動部４２のつば部４２１を備え、矢印Ｂ、Ｃ方向にスライド自在に座金４１に取付けられている。したがって、固定部材４は、可動部４２をスライドさせ下部ランナー部材１の走行車輪１２１を挟み込んで固定可能な構成となっている。
【００２９】
また、可動部４２はつば部４２１、支持凹部４１３の下方に直方体形状のガイド部４２２を備え、ガイド部４２２が座金４１のガイド溝４１６をスライドすることで、Ｂ、Ｃ方向に直線的に移動可能なスライド部材４２で構成されている。また、可動部４２には、ロックねじ４５を取付けるための座ぐり穴４２５とねじ用孔４２４が設けられている。
【００３０】
なお、座金４１には、可動部４２のガイド部４２２の外側に向いた端面４２６に、弾性部材（コイルバネなど）４３が当接し、弾性部材４３はガイド溝４１６の外側に向いた端面４１６ａとの間に設けられ、Ｃ方向に可動部４２を押している。また、スライド部材４２を座金４１に固定するロックねじ４５が設けられている。
【００３１】
また、下部ランナー部材１の走行車輪１２１には、下部ランナー部材１の上下自動伸縮機構１２２により上方にコイルバネ１２２ａで引き上げる力が作用しているので、下部ランナー部材１の走行車輪１２１は支持凹部４１３のつば部４１１、４２１に常に接触するように構成されている。
【００３２】
また、折戸７１１、７１２は、下端面７１１ａ、７１２ａが床面Ｆにほとんど接する位置に調整可能に取付けられる。
【００３３】
以上の構成によるかぶせ折戸用ランナー部材の支持構造１００の取付は、以下のように行われる。初めに、上部ランナー部材２、及び、下部ランナー部材１の蝶番部材２１、１１とランナー本体２２、１２を分解し、各折戸７１１、７１２にこれらの蝶番部材２１、１１を取付けておく。
【００３４】
そして、固定部材４を床面Ｆに固定する。その際、座金４１をねじ４４（切りもみネジなど）２個で床面Ｆに固定するが、初めにねじ用長孔４１５ａにねじ４４を入れて床面Ｆに仮固定し、後述するように下部ランナー部材１の走行車輪１２１がスムーズに入るように座金４１の位置を調整した後、ねじ用孔４１４ａにねじ４４を入れて完全に固定するのが施工上望ましい。そして、弾性部材４３をガイド溝４１６に挿入し、スライド部材４２のガイド部４２２をガイド溝４１６に嵌合させてスライド部材４２を取付ける。
【００３５】
次に、上部レールＲ１に上部ランナー部材２のランナー本体２２（連結ブロック２３を含む）及び上部ストッパー７１３を入れた後、折戸７１１、７１２とともに上部ランナー部材２のランナー本体２２と蝶番部材２１を連結ブロック２３を介して結合する。
【００３６】
そして、折戸７１１に取付けられた蝶番部材１１と下部ランナー部材１のランナー本体１２とを連結ブロック１３を介して結合する。これで、折戸７１１、７１２が吊り込まれる。そして、図７に示すように、吊元側折戸７１１の下部ランナー部材１の走行車輪１２１を固定部材４に取付ける。その際、スライド部材４２を弾性部材４３の付勢力に抗して矢印Ｂ方向に動かして支持凹部４１３の間隔を広げ、座金４１の固定部４１ｂの一部を切り欠いた切欠部４６から下部ランナー部材１の走行車輪１２１を挿入することで、取付が可能となっている。
【００３７】
そして、図８に示すように、下部ランナー部材１の走行車輪１２１が固定部材４に収まり、スライド部材４２から手を離すことでこの走行車輪１２１が挟み込まれる。さらに、上部ランナー部材２の上下調整、前後調整、下部ランナー部材１の前後調整を行い、ロックねじ４５を取り付けて、全ての取付が完了する。なお、下部ランナー部材１は固定部材４に取付けられても折戸７１１を開けて前後方向調整ねじ兼前後方向固定ねじ１２５の調整が可能である。
【００３８】
以上のように取付けられたかぶせ折戸用ランナー部材の支持構造１００によれば、吊元側折戸７１１が上部を上部ストッパー７１３で固定され、下部を下部ランナー部材１を介して固定部材４で床面Ｆに固定されているので、折戸７１を吊元側に移動させて開放することができる。
【００３９】
その際、折戸７１の下面が床面Ｆにほとんど接するように（いわゆる床面に対しインセット取付状態に）取付られており、床面Ｆにレールがなく、バリアフリー構造となっている。
【００４０】
そして、下部ランナー部材１は下部レールＲ２を走行するかぶせ折戸の支持構造８０に使用するものであるとともに、下部ランナー部材１を床面Ｆなどの被固定面に固定して下部レールＲ２を不要とするかぶせ折戸用ランナー部材の支持構造１００にも使用可能としたので、同じ下部ランナー部材１を２つの折戸下部支持構造に適用でき、部品製造コストの低減、部品在庫の簡素化などが可能になる。
【００４１】
また、下部ランナー部材１は、固定部材４を用いて別部品で吊元固定としているので、下部ランナー部材１が有している前後調整及び固定ねじ１２５の機能をそのまま生かすことができ、施工時において部品の製造誤差などによる折戸の前後方向への傾きを調整することができる。
【００４２】
なお、上記実施の形態では、固定部材４に弾性部材４３を設けているが、弾性部材４３がなくても、スライド部材４２をスライドさせ、走行車輪１２１を支持凹部４１３に挟み込み、ロックねじ４５でスライド部材４２を座金４１に固定すれば同様の効果を発揮可能である。
【００４３】
また、図１などに示すように、座金４１に対し上方に抜けないようにスライド部材４２のガイド部４２２に抜け止め突起４２３を設けてもよい。この抜け止め突起４２３は座金４１の突起挿入孔４１８に挿入し、溝４１９内をスライド可能で上方に抜けないようになっており、また、弾性部材４３が常時、ランナー本体１２の走行部材１２１（下部ランナー部材１の走行車輪１２１）を挟み込んでいるので、この抜け止め突起４２３を設ければロックねじ４５を設けなくても構わない。
【００４４】
【発明の効果】
以上のように、本発明に係るかぶせ折戸用ランナー部材の支持構造は、レールを走行可能なかぶせ折戸用ランナー部材のランナー本体を固定部材と組み合わせて固定することで吊元固定とし、レールを省略した折戸の支持構造にこのかぶせ折戸用ランナー部材を適用することが可能となるという効果がある。
【００４５】
したがって、多種類の部品を製造する必要がないので、部品製造コストの低減、部品在庫の簡素化、施工時の省力化などが可能になるという効果がある。
【図面の簡単な説明】
【図１】本発明に係るかぶせ折戸用ランナー部材の支持構造の実施の形態（１）を示す分解斜視図である。
【図２】本発明に係るかぶせ折戸用ランナー部材の支持構造の実施の形態（１）を示す斜視図である。
【図３】本発明に係るかぶせ折戸用ランナー部材の支持構造の実施の形態（１）の主要部品を示す平面図とＸ−Ｙ線断面図である。
【図４】本発明に係るかぶせ折戸用ランナー部材の支持構造の実施の形態（１）の主要部品を示すＸ−Ｘ線断面図である。
【図５】図３のＺ−Ｚ線拡大断面図、及び、Ｗ−Ｗ線拡大断面図である。（ａ）はＺ−Ｚ線拡大断面図、（ｂ）はＷ−Ｗ線拡大断面図である。
【図６】本発明に係るかぶせ折戸用ランナー部材の支持構造の実施の形態（１）の側面図である。
【図７】本発明に係るかぶせ折戸用ランナー部材の支持構造の実施の形態（１）の取付方法を説明する斜視図である。
【図８】本発明に係るかぶせ折戸用ランナー部材の支持構造の実施の形態（１）の取付方法を説明する斜視図である。
【図９】従来のかぶせ折戸用の支持構造を示す斜視図である。
【符号の説明】
１ 下部用のかぶせ折戸用ランナー部材（下部ランナー部材）
２ 上部用のかぶせ折戸用ランナー部材（上部ランナー部材）
２ａ 吊元側上部ランナー部材
２ｂ 移動側上部ランナー部材
４ 固定部材
１１ 蝶番部材
１２ ランナー本体
１３ 連結ブロック
２１ 蝶番部材
２２ ランナー本体
２３ 連結ブロック
４１ 座金
４２ 可動部（スライド部材）
４３ 弾性部材
４５ ロックねじ
４６ 切欠部
５５ 地板
５６ 天板
７１ 折戸
８０ かぶせ折戸の支持構造
８１ 折戸
１００ かぶせ折戸用ランナー部材の支持構造
１２１ 走行部材（走行車輪）
１２５ 前後方向調整ねじ兼前後方向固定ねじ
２２３ 上下方向調整ねじ
２２４ 上下方向固定ねじ
２２５ 前後方向調整ねじ兼前後方向固定ねじ
４１１ つば部
４１２ 規制壁
４１３ 支持凹部
４２１ つば部
７１１ 吊元側折戸
７１２ 移動側折戸
７１３ 上部ストッパー
８１３ 上部ストッパー
８１４ 下部ストッパー
Ｆ 床面
Ｒ１ 上部レール
Ｒ２ 下部レール
Ｔ 蝶番
【図１】
0003604362.tif 000002
【図２】
0003604362.tif 000003
【図３】
0003604362.tif 000004
【図４】
0003604362.tif 000005
【図５】
0003604362.tif 000006
【図６】
0003604362.tif 000007
【図７】
0003604362.tif 000008
【図８】
0003604362.tif 000009
【図９】
0003604362.tif 000010